(57)【要約】【課題】室内への不法な侵入を確実に防止する。【解決手段】窓のガラス板の破壊が検出された際、窓破壊検出部５が破壊検知信号を送信し、窓破壊検出部５から破壊検知信号を受信するのに応じて電気錠部４が電気鍵により窓を施錠する。これにより、ガラス板の一部が破壊されて機械錠が外されたとしても、電気錠によって窓が施錠されるので、室内への侵入を確実に防止できる。【選択図】図１
2008269497.tif 000002
【特許請求の範囲】
【請求項１】
室内外を仕切るガラス板を備え、機械錠により施錠される窓又は扉からの不法な侵入を防止するための防犯システムであって、前記ガラス板に取り付けられ、ガラス板の破壊を検出した際に破壊検知信号を送信するガラス破壊検知手段と、前記ガラス破壊検知手段から前記破壊検知信号を受信した際に前記窓又は扉を電気鍵により施錠する施錠手段とを備えることを特徴とする防犯システム。
【請求項２】
請求項１に記載の防犯システムにおいて、前記機械錠の閉状態を検出した際に閉信号を送信する開閉検知手段を備え、前記施錠手段は前記開閉検知手段から閉信号を受信した後に前記破壊検知信号を受信した際に前記窓又は扉を電気鍵により施錠することを特徴とする防犯システム。
【請求項３】
請求項１又は請求項２に記載の防犯システムにおいて、前記ガラス破壊検知手段は、少なくとも２段階の感度を備えてガラス破壊を検出し、低感度状態でガラス破壊を検出した場合、検出破壊検知信号を送信すると同時に警報を出力することを特徴とする防犯システム。
【発明の詳細な説明】
【技術分野】
【０００１】
本発明は、室内外を仕切るガラス板を備え、機械錠により施錠される窓若しくは扉からの不法な侵入を防止するための防犯システムに関する。
【背景技術】
【０００２】
従来より、室内への不法な侵入を防止するために、窓ガラスやガラス扉等の室内外を仕切るガラス板に取り付けられ、ガラス板が破壊された時にこれを検知して警報を出力するガラス破壊センサが提案されている。また最近では、窓の開閉状態を検知する開閉検知センサとガラス破壊センサを連動させて、窓が開いている時にはガラス破壊センサの動作をオフにする防犯システムも提案されている（特許文献１参照）。
【特許文献１】特開２００５−７８５００号公報
【発明の開示】
【発明が解決しようとする課題】
【０００３】
しかしながら、上記従来技術によれば、窓が施錠されている時にガラス板が破壊されると警報を出力して侵入者を威嚇するが、警報を気にしなければ侵入者はそのまま室内に侵入できてしまうために、特に室内に誰もいない時には問題となる。このような背景から、室内への不法な侵入をより確実に防止できる技術の開発が市場的急務となっていた。
【０００４】
本発明は、上記課題を解決するためになされたものであり、その目的は、室内への不法な侵入をより確実に防止可能な防犯システムを提供することを目的とする。
【課題を解決するための手段】
【０００５】
本発明に係る防犯システムは、室内外を仕切るガラス板を備え、機械錠により施錠される窓又は扉からの不法な侵入を防止するための防犯システムであって、ガラス板に取り付けられ、ガラス板の破壊を検出した際に破壊検知信号を送信するガラス破壊検知手段と、ガラス破壊検知手段から破壊検知信号を受信した際に窓又は扉を電気鍵により施錠する施錠手段とを備える。
【発明の効果】
【０００６】
本発明に係る防犯システムによれば、ガラス板の破壊が検出された際に施錠手段が電気鍵により窓又は扉を施錠するので、室内への不法な侵入をより確実に防止できる。
【発明を実施するための最良の形態】
【０００７】
本発明に係る防犯システムは、例えば図２に示すような、室内外を仕切るガラス板を備え、クレセント錠６により施錠される窓２ａ，２ｂに適用できる。以下、図面を参照して、本発明に係る防犯システムを図２に示す窓に適用した、本発明の実施形態となる防犯システムの構成と動作について説明する。但し、本発明に係る防犯システムの適用範囲は、図２に示すような窓に限られることはなく、室内外を仕切るガラス板を備える扉やクレセント錠以外の機械錠により施錠される窓や扉にも適用できる。
【０００８】
〔防犯システムの構成〕
本発明の一実施形態となる防犯システム１は、図１に示すように、窓開閉検出部３，電気錠部４，及び窓破壊検出部５を主な構成要素として備える。
【０００９】
窓開閉検出部３は、図３に示すような、窓２ａに設けられた受け具６ａに係脱自在に係止して窓２ａ，２ｂに施錠するクレセント６ｂと、クレセント６ｂを回転操作するためのハンドル６ｃ等からなるクレセント錠６の近傍に配置されている。窓開閉検出部３は、クレセント錠６のハンドル６ｃに取り付けられた磁石（図示せず）からの磁力線を検出する磁力検出部７と、磁力検出部７が磁力線を検出した際にクレセント錠６が閉状態にあると判断して無線信号送信部８を制御して閉信号を無線送信する制御部９とを備える。
【００１０】
電気錠部４は、無線信号を受信する無線信号受信部１０と、防犯システム全体の各種設定を行うための操作部１１と、ストッパ部１３を上下方向に昇降させる電気錠駆動部１４と、電気錠部４全体の動作を制御する制御部１５とを備える。電気錠駆動部１４は、開錠時はストッパ部１３を上限位置に保持し、閉錠時は図４（ａ），（ｂ）に示すようにストッパ部１３を下限位置まで降下させ、窓２ａ表面から水平方向に突出した留め具１２にストッパ部１３を当接させることによって水平方向への窓２ａの移動を規制して窓２ａを電気的に施錠する。なお図示しないが、窓２ｂ側にも電気錠駆動部１４を設けることが望ましい。
【００１１】
窓破壊検出部５は、無線信号を受信する無線信号受信部１６と、窓２ａ，２ｂの振動レベルを検知する振動検知部１７と、警報を出力する警報出力部１８と、振動検知部１７により検知された振動レベルを参照して窓２ａ，２ｂが破壊されたと判断した場合に無線信号送信部１６を制御して破壊検知信号を無線送信する等、窓破壊検出部５全体の動作を制御する制御部１９とを備える。なお本実施形態では、窓破壊検出部５は、低感度と高感度の２段階の感度を備えて窓２ａ，２ｂの破壊を検知する。
【００１２】
〔防犯システムの動作〕
このような構成を有する防犯システム１は、以下に示す防犯処理を実行することにより、窓２ａ，２ｂからの不法な侵入を確実に防止する。以下、図５に示すフローチャートを参照して、この防犯処理を実行する際の防犯システム１の動作について詳しく説明する。図５に示すフローチャートは、ユーザが操作部１１を操作して防犯処理の実行開始を指示したタイミングで開始となり、防犯処理はステップＳ１の処理に進む。
【００１３】
ステップＳ１の処理では、電気錠部４の制御部１５が、無線信号受信部１０が窓開閉検出部３の無線信号送信部８から閉信号を受信したか否かを判別する。そして制御部１５は、無線信号受信部１０が閉信号を受信したタイミングで防犯処理をステップＳ２の処理に進める。
【００１４】
ステップＳ２の処理では、制御部１５が、無線信号受信部１０が窓破壊検出部５の無線信号送信部１６から破壊検知信号を受信したか否かを判別する。そして制御部１５は、無線信号受信部１０が破壊検知信号を受信したタイミングで防犯処理をステップＳ３の処理に進める。
【００１５】
ステップＳ３の処理では、制御部１５が、電気錠駆動部１４を駆動制御することにより電気錠により窓２ａ，２ｂに施錠する。これにより、ステップＳ３の処理は完了し、防犯処理はステップＳ３の処理からステップＳ４の処理に進む。
【００１６】
ステップＳ４の処理では、窓破壊検出部５の制御部１９が、低感度状態で破壊を検知したか否かを判別する。そして判別の結果、低感度状態で破壊を検知していない場合、制御部１９は一連の防犯処理を終了する。一方、低感度状態で破壊を検知した場合には、制御部１９は防犯処理をステップＳ５の処理に進める。
【００１７】
ステップＳ５の処理では、制御部１９が、警報出力部１８を制御することにより警報を出力、窓２ａ，２ｂが破壊されたことを報知する。これにより、ステップＳ５の処理は完了し、一連の防犯処理は終了する。
【００１８】
以上の説明から明らかなように、本発明の実施形態となる防犯システム１では、窓２ａ，２ｂのガラス板の破壊が検出された際、窓破壊検出部５が破壊検知信号を送信し、窓破壊検出部５から破壊検知信号を受信するのに応じて電気錠部４が電気鍵により窓２ａ，２ｂを施錠する。すなわち、本発明の実施形態となる防犯システム１では、ガラス板の一部が破壊されてクレセント錠６が外されたとしても、電気錠によって窓２ａ，２ｂが施錠されるので、室内への侵入を確実に防止できる。また電気錠は通常時は開錠状態にあるので、窓２ａ，２ｂを開ける際にユーザが煩わしさを感じることがない。
【００１９】
また本発明の実施形態となる防犯システム１では、クレセント錠６の閉状態を検出した際に窓開閉検出部３が閉信号を送信し、電気錠部４が窓開閉検出部３から閉信号を受信した後に破壊検知信号を受信した際に電気鍵により窓２ａ，２ｂを施錠するので、窓２ａ，２ｂが開いている状態にも係わらず電気錠により施錠しようとして電気錠が故障することを防止できる。
【００２０】
また本発明の実施形態となる防犯システム１では、窓破壊検出部５は低感度と高感度の２段階の感度を備えて破壊を検知し、低感度状態で破壊を検知した場合、破壊検知信号を送信すると同時に警報を出力する。このような構成によれば、不法な侵入を防止しつつ、夜中等の高感度設定時に警報が出力され、ユーザが煩わしさを感じることを防止できる。
【００２１】
以上、本発明者によってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【産業上の利用可能性】
【００２２】
本発明は、室内外を仕切るガラス板を備え、機械錠により施錠される窓又は扉に適用することができる。
【図面の簡単な説明】
【００２３】
【図１】本発明の実施形態となる防犯システムの構成を示すブロック図である。
【図２】図１に示す防犯システムの一適用例を示す窓の模式図である。
【図３】本発明の実施形態となるクレセント錠の構成を示す模式図である。
【図４】図１に示す電気錠駆動部の動作を説明するための図である。
【図５】本発明の実施形態となる防犯処理の流れを示すフローチャート図である。
【符号の説明】
【００２４】
１：防犯システム
２ａ，２ｂ：窓
３：窓開閉検出部
４：電気錠部
５：窓破壊検出部
６：クレセント錠
７：磁力検知部
８，１６：無線信号送信部
９，１５，１９：制御部
１０：無線信号受信部
１１：操作部
１４：電気錠駆動部
１７：振動検知部
１８：警報出力部
【図１】
2008269497.tif 000003
【図２】
2008269497.tif 000004
【図３】
2008269497.tif 000005
【図４】
2008269497.tif 000006
【図５】
2008269497.tif 000007